(57)【要約】【課題】地図データベースの検索領域を利用者が簡単に設定できる携帯通信端末を利用した情報配信システム、サーバ装置及び携帯通信端末を提供すること。【解決手段】位置情報検出手段を備え取得される位置情報を無線送信し、入力手段を備え入力される検索条件を無線送信する携帯通信端末と、地図データベースと、サーバ装置とを備え、前記位置情報及び前記検索条件に基いて前記地図データベースを検索し情報配信する情報配信システムにおいて、前記検索条件に距離情報もしくは面積情報を含み、前記位置情報と前記距離情報もしくは前記面積情報をファクターとして設定される領域内の情報を配信する。【選択図】  図１
2005217689.tif 000002
【特許請求の範囲】
【請求項１】
位置情報検出手段を備え取得される位置情報を無線送信し、入力手段を備え入力される検索条件を無線送信する携帯通信端末と、
地図データベースと、サーバ装置とを備え、前記位置情報及び前記検索条件に基いて前記地図データベースを検索し情報配信する情報配信システムにおいて、
前記検索条件に距離情報もしくは面積情報を含み、前記位置情報と前記距離情報もしくは前記面積情報をファクターにして設定される領域内の情報を配信するようにしたことを特徴とする情報配信システム。
【請求項２】
情報配信要求元が無線送信した当該情報配信要求元の位置情報及び検索条件に基いて地図データベースを検索し情報を配信するサーバ装置において、
前記検索条件に距離情報もしくは面積情報を含み、前記位置情報と前記距離情報もしくは前記面積情報に基いて設定される領域内の情報を配信するようにしたことを特徴とするサーバ装置。
【請求項３】
位置情報検出手段と、入力手段とを備える携帯通信端末において、サーバ装置に前記位置情報検出手段が検出する位置情報と、前記入力手段により入力する距離情報もしくは面積情報を含む検索条件とを無線送信することを特徴とする携帯通信端末。
【発明の詳細な説明】
【技術分野】
【０００１】
本発明は、携帯通信端末を利用する情報配信システム、サーバ装置及び携帯通信端末に関し、特に、利用者が所望する各種情報を提供するにあたり利用者の移動に応じた周辺情報を提供するための技術に関するものである。
【背景技術】
【０００２】
利用者が望む各種情報を配信する情報配信システムには、インターネット上に地図データベースを設け、検索サーバが、ＧＰＳ受信機付き携帯電話機からの情報配信要求に応じ、携帯電話機から送られてくる位置情報に基いて地図データベースを検索し該当する地域の情報を配信するようになったものがある（例えば、特許文献１）。
【特許文献１】特開２００２−７３６１１号公報
【発明の開示】
【発明が解決しようとする課題】
【０００３】
従来の情報配信システムは、携帯電話機の現在位置をカバーしている所定の区域を検索するようになっている。しかしながら、場所によっては現在位置とその近辺のみの情報を利用者が所望する場合もあるため、利用者には決して使いやすいものではなかった。
【課題を解決するための手段】
【０００４】
上記従来技術における課題を解決するために、本発明は、    位置情報検出手段を備え取得される位置情報を無線送信し、入力手段を備え入力される検索条件を無線送信する携帯通信端末と、地図データベースと、サーバ装置とを備え、前記位置情報及び前記検索条件に基いて前記地図データベースを検索し情報配信する情報配信システムにおいて、前記検索条件に距離情報もしくは面積情報を含み、前記位置情報と前記距離情報もしくは前記面積情報をファクターにして設定される領域内の情報を配信するようにした。
【０００５】
また、情報配信要求元が無線送信した当該情報配信要求元の位置情報及び検索条件に基いて地図データベースを検索し情報を配信するサーバ装置において、前記検索条件に距離情報もしくは面積情報を含み、前記位置情報と前記距離情報もしくは前記面積情報に基いて設定される領域内の情報を配信するようにした。
【０００６】
また、位置情報検出手段と、入力手段とを備える携帯通信端末において、サーバ装置に前記位置情報検出手段が検出する位置情報と、前記入力手段により入力する距離情報もしくは面積情報を含む検索条件とを無線送信する。
【発明の効果】
【０００７】
本発明によれば、位置情報と検索条件に含まれる距離情報もしくは面積情報をファクターとして設定される領域内の情報を配信するようにしたことで、利用者は現在位置を含む所望の検索領域を距離情報もしくは面積情報によって容易に設定できる。よって、例えば繁華街等の情報過多地域においては距離情報を短距離とすること、もしくは面積情報を小面積とすることで検索領域を小さな領域に容易に設定でき、例えばすぐ近くのレストラン、等のすぐ近くに所在する利用者に最も都合のよい情報を的確に得ることが可能となる。また、例えば、”１００”ｍもしくは面積”大”、面積”中”、面積”小”といったように入力操作が極めて簡単なので、非常に使い勝手がよいものとなる。
【発明を実施するための最良の形態】
【０００８】
次に本発明の一実施形態を説明する。図１は、携帯電話システムに本発明を利用したシステム構成例を説明する図である。携帯電話システムは、基地局ＢＳ、移動機（携帯電話端末）ＭＳ１、制御装置ＣＳを備える。情報発信元はインターネット上の情報配信ＷＥＢサイトであって、データ通信用サーバ（「サーバ装置」に相当する）ＳＢと地図データベースＭＤＢと端末を識別するＩＤ、パスワード等の端末指定情報データベース（「検索条件登録データベース」）ＴＤＢを備える。
【０００９】
図２は、移動機ＭＳ１のブロック図を示し、アンテナＡＴ１、デュプレクサＤＰ、受信部ＲＸ１、送信部ＴＸ、符号化・復号化等のデータ処理部ＤＳＰ１、端末全体の制御を行う制御部ＤＳＰ２、音声コーデックＣＯＤＥＣ、スピーカＳＰ，マイクロフォンＭＩＣ、メモリＭＥＭＯＲＹ、表示部ＬＣＤ、検索条件を入力する操作部（「操作入力部」に相当する）ＫＥＹと、さらにＧＰＳ衛星の信号受信用のアンテナＡＴ２とＧＰＳ受信部ＲＸ２を備える。ＧＰＳ受信部ＲＸ２から出力される受信情報については、データ処理部ＤＳＰ１がこれを演算処理し移動機ＭＳ１の位置情報を測位する、すなわち現在の緯度、経度を演算して求める。その他、電池、電源回路等を有するが、それらは省略する。
【００１０】
図３は、移動機ＭＳ１のフローチャートである。本実施形態では、移動機ＭＳ１が情報配信ＷＥＢサイトに接続し、ＩＤとパスワードを入力して端末指定情報データベースＴＤＢに登録されているものとの一致確認がされた後のフローチャートである。
【００１１】
まず、利用者は移動機ＭＳ１を用いてＷＥＢ上で検索条件を設定する（Ｓ１０１）。検索条件は、情報の種類及び距離の２種類である。情報の種類は、例えば、“レストラン情報”、“観光スポット情報”などあり、これらは表示部ＬＣＤにメニュー表示される。利用者はメニューから所望の種類を１または複数選択し、選択したもののチェックボックスをチェックし送信キーを押す。それによって、チェックしたものが無線送信され検索条件として端末指定情報データベースＴＤＢに当該移動機ＭＳ１の端末識別情報ＩＤと共に登録される。移動機ＭＳ１のメモリＭＥＭＯＲＹにも同様にチェックした情報の種類が登録される。
【００１２】
続いて、距離の設定画面が表示部ＬＣＤに表示される。この距離は“検索領域となる正方形の一辺の長さ”である。設定は、表示された画面内の所定の書込みスペースに操作部ＫＥＹを用いて所望の数字を入力する。距離の単位は“ｍ”である。例えば、“１００”ｍのように数字の部分を入力し送信キーを押すと、入力した数字で特定される距離がもう一つの検索条件として無線送信され端末指定情報データベースＴＤＢに当該移動機ＭＳ１の端末識別情報ＩＤと共に登録される。移動機ＭＳ１のメモリＭＥＭＯＲＹにも同様に入力した距離情報が登録される。
【００１３】
図４に、このようにして登録される端末指定情報データベースＴＤＢの検索条件登録データベースの登録テーブルを示してある。図４の登録テーブルでは、情報の種類として３つまで登録が可能となっている。
【００１４】
図３において、Ｓ１０１の検索条件の登録が完了すると、続いて移動機ＭＳ１は位置情報の送信を開始する（Ｓ１０２）。移動機ＭＳ１は、情報配信ＷＥＢサイトに接続中は所定時間間隔（例えば、３分間隔）でGPS受信信号により位置情報を測位し、測位する毎に位置情報（緯度、経度）と自身の端末識別情報ＩＤを情報配信ＷＥＢサイトに送信する。
【００１５】
後述するが、データ通信用サーバＳＢは、端末識別情報ＩＤと位置情報を受信し、これと端末指定情報データベースＴＤＢに登録されている移動機ＭＳ１の検索条件とに基いて検索領域を設定し、地図データベースの検索を行って情報配信を行う。
【００１６】
図３において、Ｓ１０２の位置情報の送信を開始すると、移動機ＭＳ１は配信情報の受信を待ち受ける（Ｓ１０３）。情報を受信すると移動機ＭＳ１は表示部ＬＣＤに情報を表示する（Ｓ１０４）。配信情報は、情報源の名称、住所等からなるテキスト情報である。検索結果が複数ある場合には、現在位置に近いものから順に配信がされる。図５は受信情報表示例１と表示例２を示す。
【００１７】
なお、データ通信用サーバＳＢは、設定した検索領域に対応する地図画像に情報源の位置や名称を書き込む等した画像情報を配信してもよい。
【００１８】
情報配信を受け、情報配信ＷＥＢサイトとのに接続中に所定時間が経過すると再びＳ１０２に戻り位置情報の測位と送信がされ、上述のＳ１０２〜Ｓ１０４の処理ステップが繰り返される。
【００１９】
次に図６は、データ通信用サーバＳＢのフローチャートである。本実施形態では、移動機ＭＳ１が情報配信ＷＥＢサイトに接続し、ＩＤとパスワードを入力して端末指定情報データベースＴＤＢに登録されているものとの一致確認がされ、さらに端末指定情報データベースＴＤＢに検索条件が登録された後のフローチャートである。
【００２０】
データ通信用サーバＳＢは、ステップＳ２０１で位置情報の受信を待ち受ける。端末識別情報ＩＤとともに位置情報の受信を受けると、続いて端末指定情報データベースＴＤＢを端末識別情報ＩＤにより検索し、該当するＩＤに登録されている検索条件を読み出す（Ｓ２０２）。
【００２１】
続いて、地図データベースを検索する（Ｓ２０３）。検索にあたっては、はじめに受信した位置情報と読み出した検索条件の一つである距離情報とに基づいて、位置情報（緯度、経度）を中心とし一辺が前記距離情報の長さであって、東西南北の方向に４つの辺がそれぞれ合わされた正方形を検索領域として設定する。設定する検索領域、すなわち正方形の４つの角にあたる位置情報（緯度、経度）を導き出し、この４つの点を結んだ線の内側が検索領域となる。
【００２２】
地図データベースには、情報の種類、情報源の名称（例えば、”レストランの名称”）及び位置情報と住所（例えば”レストラン”の経度、緯度と住所）が登録されており、検索によって、検索条件である情報の種類が該当し、かつその住所が検索領域の内側にあるものが抽出される。
【００２３】
このようにして検索が完了すると、検索した情報を移動機ＭＳ１に配信する（Ｓ２０４）。配信を行うと再びステップＳ２０１に戻る。
【００２４】
以上のように、ＧＰＳ受信機付き携帯電話端末等の位置検出機能付き機携帯端末から利用者が距離情報を操作入力するだけで、利用者が検索領域を容易に設定できることになる。
【００２５】
なお、実施形態では位置情報として”経度”情報と”緯度”情報を使用したが、これらに加えて”高度”情報を使用し、検索領域を３次元空間とすることもできる。
【００２６】
また、配信情報をテキスト情報として、移動機ＭＳ１の表示部ＬＣＤにテキスト表示させるものであったが、本願発明はこれに限定されるものではなく、例えば、配信情報が音声情報にするなどして、スピーカＳＰより出力するようにしてもよい  なお、位置情報と距離情報をファクターとして設定される検索領域は、上記実施形態に限定されるものではなく、例えば、位置情報を中心とし距離情報を半径とする円を検索領域とする等の設定も可能である。
【００２７】
さらに、さらに実施形態では距離情報を用いているが、距離情報に替えて面積情報を検索領域を設定するファクターとしてもよい。これは、携帯通信端末から検索条件を設定する上述の距離の設定画面を面積の設定画面に替えることで容易に実現できる。好適には、携帯電話機の設定画面において面積”大”、面積”中”、面積”小”といった３種類の選択メニューを表示部ＬＣＤに表示させ、利用者が何れか一つを選択するようにする。面積”大”、面積”中”、面積”小”の具体的な面積は、インターネットプロバイダにおいてサーバ装置に予め定義されており、利用者においては例えば”１００ｍ×１００ｍ”のように具体的な面積を入力する必要がない。選択に続いて送信キーを押すことで、選択した面積情報が検索条件の一つとしてサーバ装置に送信される。サーバ装置は、位置情報と選択された面積情報をファクターとして検索領域を設定するが、その設定は位置情報を基準にし選択された面積の領域を所定の設定方法にて設定すればよく、例えば、面積が１００ｍ×１００ｍのように面積の定義が距離情報×距離情報である場合には、上述の距離情報をファクターとする場合と同様に設定を行うことができる。
【００２８】
なお、以上のように検索条件として距離情報と面積情報を、そしてその入力のし方を、さらにサーバ装置における検索領域の設定のし方を、さらにその他の事項についても説明をしたが、本願発明は以上の実施形態に限定されるものではない。
【図面の簡単な説明】
【００２９】
【図１】携帯電話システムに本発明を利用したシステム構成例を説明する図。
【図２】本発明の実施形態である移動機ＭＳ１のブロック図。
【図３】本発明の実施形態である移動機ＭＳ１のフローチャート。
【図４】本発明の実施形態である端末指定情報データベースＴＤＢの登録データテーブル。
【図５】本発明の実施形態である移動機ＭＳ１の（１）受信情報表示例１、（２）受信情報表示例２を示す。
【図６】本発明の実施形態であるデータ通信用サーバＳＢのフローチャート。
【符号の説明】
【００３０】
ＢＳ      基地局
ＭＳ１    移動機（携帯電話端末）
ＣＳ      制御装置
ＳＢ      データ通信用サーバ（「サーバ装置」に相当する）
ＭＤＢ    地図データベース
ＴＤＢ    端末指定情報データベース（「検索条件登録データベース」）
ＡＴ１，ＡＴ２  アンテナ
ＤＰ      デュプレクサ
ＲＸ１    受信部
ＴＸ      送信部
ＤＳＰ１  データ処理部
ＤＳＰ２  制御部
ＣＯＤＥＣ  音声コーデック
ＳＰ      スピーカ
ＭＩＣ    マイクロフォン
ＭＥＭＯＲＹ  メモリ
ＬＣＤ    表示部
ＫＥＹ    操作部（「操作入力部」に相当する）
ＲＸ２    ＧＰＳ受信部
【図１】
2005217689.tif 000003
【図２】
2005217689.tif 000004
【図３】
2005217689.tif 000005
【図４】
2005217689.tif 000006
【図５】
2005217689.tif 000007
【図６】
2005217689.tif 000008